(57)【要約】【課題】ＥＳＲの向上を図りつつ、導通不良の発生を抑制できる積層コンデンサを提供する。【解決手段】積層コンデンサ１では、ＥＳＲ制御部１２の内部電極７と同一面に、積層体２の長手方向の端面２ａ，２ｂに接するダミー電極１５を配置している。したがって、引出導体１４のみで内部電極７と外部電極３との接続を行う場合に比べて、外部電極３に接する電極部分の接触面積が大きくなる。これにより、外部電極３と引出導体１４との密着性を十分に確保できるので、導通不良の発生を抑制できる。ここで、積層コンデンサ１では、引出導体１４とダミー電極１５との離間幅Ｗ１が、引出導体１４と外部電極３との接続幅Ｗ２未満となっている。このため、ダミー電極１５Ａと外部電極３Ａとの接続幅Ｗ３を十分に拡大でき、外部電極３と引出導体１４との密着性を極めて良好に保つことが可能となる。【選択図】図５
2011108785.tif 000002
【特許請求の範囲】
【請求項１】
誘電体層を介在させて複数の内部電極が積層された積層体と、
前記積層体における長手方向の一端面に形成された第１の外部電極、及び他端面に形成された第２の外部電極と、
前記積層体の前記各端面と交差する側面に互いに対向するようにそれぞれ形成された第１の端子導体及び第２の端子導体と、を備え、
前記積層体は、
第１の極性に接続される第１の内部電極と、第２の極性に接続される第２の内部電極とが少なくとも一層の前記誘電体層を挟んで交互に配置されてなる静電容量部と、
前記静電容量部の積層方向の一方側及び他方側の少なくとも一方に配置され、前記第１の極性に接続される第３の内部電極と、前記静電容量部の積層方向の一方側及び他方側の少なくとも一方に配置され、前記第２の極性に接続される第４の内部電極とを有してなるＥＳＲ制御部と、を有し、
前記静電容量部において、
前記第１の内部電極は、第１の引出導体を介して前記第１の端子導体にのみ接続され、
前記第２の内部電極は、第２の引出導体を介して前記第２の端子導体にのみ接続され、
前記ＥＳＲ制御部において、
前記第３の内部電極は、第３の引出導体を介して前記第１の端子導体に接続されていると共に、第４の引出導体を介して前記第１の外部電極に接続され、
前記第４の内部電極は、第５の引出導体を介して前記第２の端子導体に接続されていると共に、第６の引出導体を介して前記第２の外部電極に接続され、
前記第３の内部電極と同一面には、前記積層体の前記一端面に接し、かつ前記第３の内部電極、前記第３の引出導体、及び前記第４の引出導体から離間するように配置された第１のダミー電極が設けられ、
前記第４の内部電極と同一面には、前記積層体の前記他端面に接し、かつ前記第４の内部電極、前記第５の引出導体、及び前記第６の引出導体から離間するように配置された第２のダミー電極が設けられ、
前記第４の引出導体と前記第１のダミー電極との離間幅は、前記第４の引出導体と前記第１の外部電極との接続幅未満となっており、かつ前記第６の引出導体と前記第２のダミー電極との離間幅は、前記第６の引出導体と前記第２の外部電極との接続幅未満となっていることを特徴とする積層コンデンサ。
【請求項２】
前記第１のダミー電極と前記第１の外部電極との接続幅は、第３の引出導体と前記第１の端子導体との接続幅以上となっており、前記第２のダミー電極と前記第２の外部電極との接続幅は、前記第５の引出導体と前記第２の端子導体との接続幅以上となっていることを特徴とする請求項１記載の積層コンデンサ。
【請求項３】
前記第１のダミー電極と前記第１の外部電極との接続幅は、前記積層体の長手方向における前記第１のダミー電極の幅以上となっており、前記第２のダミー電極と前記第２の外部電極との接続幅は、前記積層体の長手方向における前記第２のダミー電極の幅以上となっていることを特徴とする請求項１又は２記載の積層コンデンサ。
【請求項４】
前記第１のダミー電極と前記第１の外部電極との接続幅は、前記第４の引出導体と前記第１の外部電極との接続幅以上となっており、前記第２のダミー電極と前記第２の外部電極との接続幅は、前記第６の引出導体と前記第２の外部電極との接続幅以上となっていることを特徴とする請求項１〜３のいずれか一項記載の積層コンデンサ。
【請求項５】
前記積層体の長手方向における前記第１のダミー電極の幅は、前記第２の内部電極と前記一端面との離間幅以下となっており、前記積層体の長手方向における前記第２のダミー電極の幅は、前記第１の内部電極と前記他端面との離間幅以下となっていることを特徴とする請求項１〜４のいずれか一項記載の積層コンデンサ。
【請求項６】
前記積層体の長手方向における前記第１のダミー電極の幅は、前記第４の引出導体と前記第１のダミー電極との離間幅以上となっており、前記積層体の長手方向における前記第２のダミー電極の幅は、前記第６の引出導体と前記第２のダミー電極との離間幅以上となっていることを特徴とする請求項１〜５のいずれか一項記載の積層コンデンサ。
【請求項７】
前記第４の引出導体は、前記一端面において幅方向の略中央に引き出され、前記第６の引出導体は、前記他端面において幅方向の略中央に引き出されていることを特徴とする請求項１〜６のいずれか一項記載の積層コンデンサ。
【請求項８】
前記第１のダミー電極は、前記第４の引出導体を挟んで対称となるように複数配置され、前記第２のダミー電極は、前記第６の引出導体を挟んで対称となるように複数配置されていることを特徴とする請求項７記載の積層コンデンサ。
【発明の詳細な説明】
【技術分野】
【０００１】
本発明は、積層コンデンサに関する。
【背景技術】
【０００２】
従来、誘電体層と内部電極とを交互に積層してなる積層体と、積層体の側面において互いに電気的に絶縁された外部電極及び端子導体とを備えた積層コンデンサがある。例えば特許文献１に記載の積層コンデンサでは、４種の内部電極が設けられており、このうちの２種の内部電極は、静電容量を形成する電極部と、この電極部と端子導体とに接続される引出導体とを有している。また、他の２種の内部電極は、端子導体に接続される引出導体と、外部電極に接続される引出導体とを有している。
【０００３】
このような積層コンデンサは、例えばＩＣにおけるデカップリングコンデンサとして用いられる。ＩＣの高速化・低電圧化が進む現状では、積層コンデンサにおけるＥＳＲ（等価直列抵抗）の向上を実現することが要求されている。そこで、例えば特許文献２に記載の積層コンデンサでは、所定の内部電極の引出導体の幅を他の内部電極の引出導体の幅よりも小さくすることによって電流経路の絞り部を形成し、高ＥＳＲ化を図っている。
【先行技術文献】
【特許文献】
【０００４】
【特許文献１】特開２００３−１６８６２１号公報
【特許文献２】特開２００９−１２３９６５号公報
【発明の概要】
【発明が解決しようとする課題】
【０００５】
一方、上述のように所定の内部電極の引出導体の幅を他の内部電極の引出導体の幅よりも小さくする場合、積層コンデンサのＥＳＲを高めることができる反面、幅を狭くした引出導体と端子電極との接触面積が低下することとなる。このことは、積層コンデンサの導通不良の一因となるので、ＥＳＲの向上を図りつつ導通不良の発生を抑制する技術が望まれている。
【０００６】
本発明は、上記課題の解決のためになされたものであり、ＥＳＲの向上を図りつつ、導通不良の発生を抑制できる積層コンデンサを提供する。
【課題を解決するための手段】
【０００７】
上記課題の解決のため、本発明に係る積層コンデンサは、誘電体層を介在させて複数の内部電極が積層された積層体と、積層体における長手方向の一端面に形成された第１の外部電極、及び他端面に形成された第２の外部電極と、積層体の各端面と交差する側面に互いに対向するようにそれぞれ形成された第１の端子導体及び第２の端子導体と、を備え、積層体は、第１の極性に接続される第１の内部電極と、第２の極性に接続される第２の内部電極とが少なくとも一層の前記誘電体層を挟んで交互に配置されてなる静電容量部と、静電容量部の積層方向の一方側及び他方側の少なくとも一方に配置され、第１の極性に接続される第３の内部電極と、静電容量部の積層方向の一方側及び他方側の少なくとも一方に配置され、第２の極性に接続される第４の内部電極とを有してなるＥＳＲ制御部と、を有し、静電容量部において、第１の内部電極は、第１の引出導体を介して第１の端子導体にのみ接続され、第２の内部電極は、第２の引出導体を介して第２の端子導体にのみ接続され、ＥＳＲ制御部において、第３の内部電極は、第３の引出導体を介して第１の端子導体に接続されていると共に、第４の引出導体を介して第１の外部電極に接続され、第４の内部電極は、第５の引出導体を介して第２の端子導体に接続されていると共に、第６の引出導体を介して第２の外部電極に接続され、第３の内部電極と同一面には、積層体の一端面に接し、かつ第３の内部電極、第３の引出導体、及び第４の引出導体から離間するように配置された第１のダミー電極が設けられ、第４の内部電極と同一面には、積層体の他端面に接し、かつ第４の内部電極、第５の引出導体、及び第６の引出導体から離間するように配置された第２のダミー電極が設けられ、第４の引出導体と第１のダミー電極との離間幅は、第４の引出導体と第１の外部電極との接続幅未満となっており、かつ第６の引出導体と第２のダミー電極との離間幅は、第６の引出導体と第２の外部電極との接続幅未満となっていることを特徴としている。
【０００８】
この積層コンデンサでは、静電容量部において内部電極が端子導体にのみ接続され、ＥＳＲ制御部において内部電極が端子導体及び外部電極にそれぞれ接続されている。したがって、内部電極が並列に接続された端子導体が外部電極に直列に接続されるので、従来のように外部電極に内部電極を並列接続する場合と比較して高ＥＳＲ化を実現できる。
【０００９】
また、この積層コンデンサでは、ＥＳＲ制御部の内部電極と同一面に、積層体の長手方向の端面に接するダミー電極を配置している。したがって、引出導体のみで内部電極と外部電極との接続を行う場合に比べて、外部電極に接する電極部分の接触面積が大きくなる。これにより、外部電極と引出導体との密着性を十分に確保できるので、導通不良の発生を抑制できる。ここで、この積層コンデンサでは、引出導体とダミー電極との離間幅が、引出導体と外部電極との接続幅未満となっている。したがって、ダミー電極と外部電極の接続幅を十分に拡大でき、外部電極と引出導体との密着性が極めて良好なものとなる。
【００１０】
また、この積層コンデンサでは、第１のダミー電極は、一端面に接して第１の外部電極に接続され、第２のダミー電極は、他端面に接して第２の外部電極に接続されている。このように、同一面内に配置されたダミー電極と内部電極とを同一の外部電極に接続することで、仮にダミー電極と内部電極とが接触した場合であっても、ショート不良の発生を防止できる。
【００１１】
また、第１のダミー電極と第１の外部電極との接続幅は、第３の引出導体と第１の端子導体との接続幅以上となっており、第２のダミー電極と第２の外部電極との接続幅は、第５の引出導体と第２の端子導体との接続幅以上となっていることが好ましい。この場合、ダミー電極と外部電極の接続幅を一層十分に確保できる。したがって、外部電極と引出導体との密着性が一層十分なものとなり、導通不良の発生をより確実に抑制できる。
【００１２】
また、第１のダミー電極と第１の外部電極との接続幅は、積層体の長手方向における第１のダミー電極の幅以上となっており、第２のダミー電極と第２の外部電極との接続幅は、積層体の長手方向における第２のダミー電極の幅以上となっていることが好ましい。この場合、ダミー電極と外部電極の接続幅を一層十分に確保できる。したがって、外部電極と引出導体との密着性が一層十分なものとなり、導通不良の発生をより確実に抑制できる。
【００１３】
また、第１のダミー電極と第１の外部電極との接続幅は、第４の引出導体と第１の外部電極との接続幅以上となっており、第２のダミー電極と第２の外部電極との接続幅は、第６の引出導体と第２の外部電極との接続幅以上となっていることが好ましい。この場合、ダミー電極と外部電極の接続幅を一層十分に確保できる。したがって、外部電極と引出導体との密着性が一層十分なものとなり、導通不良の発生をより確実に抑制できる。
【００１４】
また、積層体の長手方向における第１のダミー電極の幅は、第２の内部電極と一端面との離間幅以下となっており、積層体の長手方向における第２のダミー電極の幅は、第１の内部電極と他端面との離間幅以下となっていることが好ましい。この場合、積層方向でダミー電極と内部電極とが重なり合うことを防止できるので、ＥＳＲ制御部の内部電極によって形成される静電容量成分と直列に接続される不要な静電容量成分が形成されてしまうことを防止できる。
【００１５】
また、積層体の長手方向における第１のダミー電極の幅は、第４の引出導体と第１のダミー電極との離間幅以上となっており、積層体の長手方向における第２のダミー電極の幅は、第６の引出導体と第２のダミー電極との離間幅以上となっていることが好ましい。この場合、ダミー電極の電極部分が途切れることを防止でき、外部電極と引出導体との密着性を一層確実に確保できる。
【００１６】
また、第４の引出導体は、一端面において幅方向の略中央に引き出され、第６の引出導体は、他端面において幅方向の略中央に引き出されていることが好ましい。この場合、ＥＳＲ制御部において、引出導体を含めた異極性の内部電極のパターンが対称的になるため、内部電極を形成する際のパターニングが簡単なものとなる。
【００１７】
また、第１のダミー電極は、第４の引出導体を挟んで対称となるように複数配置され、第２のダミー電極は、第６の引出導体を挟んで対称となるように複数配置されていることが好ましい。この場合、積層体の一端面及び他端面から見た場合の引出導体とダミー電極との配置バランスが向上し、積層体の変形を抑えることができる。
【発明の効果】
【００１８】
本発明によれば、ＥＳＲの向上を図りつつ、導通不良の発生を抑制できる。
【図面の簡単な説明】
【００１９】
【図１】本発明に係る積層コンデンサの一実施形態を示す斜視図である。
【図２】図１に示した積層コンデンサの層構成を示す図である。
【図３】図１におけるＩＩＩ−ＩＩＩ線断面図である。
【図４】静電容量部の複合層を示す図である。
【図５】ＥＳＲ制御部の複合層を示す図である。
【図６】変形例に係るＥＳＲ制御部の複合層を示す図である。
【図７】変形例に係る積層コンデンサの断面図である。
【発明を実施するための形態】
【００２０】
以下、図面を参照しながら、本発明に係る積層コンデンサの好適な実施形態について詳細に説明する。
【００２１】
以下、図面を参照しながら、本発明に係る積層コンデンサの好適な実施形態について詳細に説明する。
【００２２】
図１は、本発明に係る積層コンデンサの実装構造の一実施形態を示す斜視図である。また、図２は、図１に示した積層コンデンサの層構成を示す図であり、図３は、図１におけるＩＩＩ−ＩＩＩ線断面図である。
【００２３】
図１〜図３に示すように、積層コンデンサ１は、略直方体形状の積層体２と、積層体２の端面に形成された外部電極３（３Ａ，３Ｂ）と、積層体２の側面に形成された端子導体４（４Ａ，４Ｂ）とを備えている。
【００２４】
積層体２は、図２に示すように、誘電体層６の上に異なるパターンの内部電極７が形成されてなる複数の複合層５と、複合層５の最表層に積層され、保護層として機能する誘電体層６とによって形成されている。誘電体層６は、誘電体セラミックを含むセラミックグリーンシートの焼結体からなり、内部電極７は、導電性ペーストの焼結体からなる。なお、実際の積層コンデンサ１では、誘電体層６，６間の境界が視認できない程度に一体化されている。
【００２５】
外部電極３及び端子導体４は、導電性金属粉末及びガラスフリットを含む導電性ペーストを焼き付けることによって形成されている。外部電極３は、積層コンデンサ１の実装の際に、所定の極性に接続される電極である。また、端子導体４は、積層体２における後述の静電容量部１１に属する内部電極７同士を並列に接続する導体であり、実装基板に直接接続されない導体である。
【００２６】
外部電極（第１の外部電極）３Ａは、積層コンデンサ１の基板実装の際に例えば＋極性（第１の極性）に接続される電極であり、積層体２における長手方向の一端面２ａを覆うように形成されている。外部電極（第２の外部電極）３Ｂは、積層コンデンサ１の基板実装の際に例えば−極性（第２の極性）に接続される電極であり、積層体２における長手方向の他端面２ｂを覆うように形成されている。
【００２７】
端子導体（第１の端子導体）４Ａは、積層体２の一端面２ａ及び他端面２ｂと直交する側面のうち、積層方向に沿う一方の側面２ｃに形成され、端子導体（第２の端子導体）４Ｂは、側面２ｃと対向する他方の側面２ｄに形成されている。端子導体４Ａ，４Ｂは、側面２ｃ，２ｄにおいて上述の積層方向に帯状に延在すると共に、積層体２の積層方向の端面に張り出すパッド部分を有している。外部電極３Ａ，３Ｂ及び端子導体４Ａ，４Ｂは、所定の間隔をあけて離間した状態となっており、互いに電気的に絶縁されている。
【００２８】
積層コンデンサ１の実装に用いる基板１００は、陽極ランドパターン１０１Ａと、陰極ランドパターン１０１Ｂとを有している。陽極ランドパターン１０１Ａ及び陰極ランドパターン１０１Ｂは、例えば外部電極３Ａ及び外部電極３Ｂの幅方向に沿って帯状に形成され、所定の回路配線に接続されている。
【００２９】
積層コンデンサ１の実装構造において、外部電極３Ａは、陽極ランドパターン１０１Ａに接合され、外部電極３Ｂは、陰極ランドパターン１０１Ｂに接合される。また、端子導体４Ａ及び端子導体４Ｂは、陽極ランドパターン１０１Ａ及び陰極ランドパターン１０１Ｂのいずれにも接合されない。すなわち、積層コンデンサ１の実装構造では、外部電極３Ａ及び外部電極３Ｂのみが基板１００に対して接合された状態となる。
【００３０】
次に、積層体２の構成について更に詳細に説明する。
【００３１】
積層体２は、図２及び図３に示すように、積層コンデンサの静電容量に主として寄与する静電容量部１１と、積層コンデンサ１のＥＳＲを制御するＥＳＲ制御部１２とを有している。静電容量部１１は、図４に示すように、パターンの異なる２つの内部電極７（７Ａ，７Ｂ）を有する複合層５Ａ，５Ｂが交互に複数積層されて形成されている。複合層５Ａの内部電極（第１の内部電極）７Ａは、図４（ａ）に示すように、中央部分に形成された矩形の主電極部１３Ａと、主電極部１３Ａの一辺から引き出された帯状の引出導体（第１の引出導体）１４Ａとを有している。引出導体１４Ａの端部は、積層体２の側面２ｃに露出し、端子導体４Ａに接続されている。
【００３２】
複合層５Ｂの内部電極（第２の内部電極）７Ｂは、図４（ｂ）に示すように、中央部分に形成された矩形の主電極部１３Ｂと、主電極部１３Ｂの一辺から引き出された帯状の引出導体（第２の引出導体）１４Ｂとを有している。引出導体１４Ｂの端部は、引出導体１４Ａとは反対に積層体２の側面２ｄに露出し、端子導体４Ｂに接続されている。
【００３３】
このような静電容量部１１では、積層方向から見て内部電極７Ａの主電極部１３Ａと内部電極７Ｂの主電極部１３Ｂとが互いに重なり合う部分が容量形成領域となっている。本実施形態では、主電極部１３Ａの全面が主電極部１３Ｂの全面と重なり合っており、容量形成領域が十分に確保されている。
【００３４】
一方、ＥＳＲ制御部１２は、積層方向から見て静電容量部１１を挟むように配置されている。ＥＳＲ制御部１２は、図５に示すように、内部電極パターンの異なる２つの複合層５Ｃ，５Ｄによって形成されている。複合層５Ｃの内部電極（第３の内部電極）７Ｃは、図５（ａ）に示すように、最下層の内部電極７Ｂにおける主電極部１３Ｂの略半分部分と対向する主電極部１３Ｃを有している。
【００３５】
また、内部電極７Ｃは、主電極部１３Ｃから端子導体４Ａ，４Ｂを結ぶ方向に引き出された帯状の引出導体（第３の引出導体）１４Ｃと、主電極部１３Ｃから外部電極３Ａ，３Ｂを結ぶ方向に引き出された帯状の引出導体（第４の引出導体）１４Ｄとを有している。引出導体１４Ｃの端部は、積層体２における長手方向の略中央位置から側面２ｃに露出し、端子導体４Ａに接続されている。また、引出導体１４Ｄの端部は、中心線Ｍよりも端子導体４Ｂ寄りの位置から積層体２の一端面２ａに露出し、外部電極３Ａに接続されている。
【００３６】
また、内部電極７Ｃと同一面には、ダミー電極１５が形成されている。内部電極７Ｃと同一面のダミー電極（第１のダミー電極）１５Ａは、積層体２における一端面２ａに接し、かつ主電極部１３Ｃ、引出導体１４Ｃ、及び引出導体１４Ｄから離間するように配置されている。
【００３７】
このような複合層５Ｃでは、引き出し導体１４Ｄとダミー電極との離間幅Ｗ１は、引出導体１４Ｄと外部電極３Ａとの接続幅Ｗ２未満となっており、ダミー電極１５Ａと外部電極３Ａとの接続幅Ｗ３が十分に確保されている。また、ダミー電極１５Ａと外部電極３Ａとの接続幅Ｗ３は、引出導体１４Ｃと端子導体４Ａとの接続幅Ｗ４以上となっており、かつ引出導体１４Ｄと外部電極３Ａとの接続幅Ｗ２以上となっている。
【００３８】
さらに、ダミー電極１５Ａと外部電極３Ａとの接続幅Ｗ３は、積層体２の長手方向におけるダミー電極１５Ａの幅Ｗ５以上となっている。積層体２の長手方向におけるダミー電極１５Ａの幅Ｗ５は、内部電極７Ｂにおける主電極部１３Ｂと一端面２ａとの離間幅Ｗ６（図４（ｂ）参照）以下となっている一方で、引き出し導体１４Ｄとダミー電極との離間幅Ｗ１以上となっている。なお、積層体２の長手方向におけるダミー電極１５Ａの幅Ｗ５は、内部電極７Ｄにおける主電極部１３Ｄと一端面２ａとの離間幅Ｗ７（図５（ｂ）参照）以下となっていることが好ましい。
【００３９】
これに対し、複合層５Ｄの内部電極（第４の内部電極）７Ｄは、図５（ｂ）に示すように、最上層の内部電極７Ａにおける主電極部１３Ａの略半分部分と対向する主電極部１３Ｄを有している。また、内部電極７Ｄは、主電極部１３Ｄから端子導体４Ａ，４Ｂを結ぶ方向に引き出された帯状の引出導体（第５の引出導体）１４Ｅと、主電極部１３Ｄから外部電極３Ａ，３Ｂを結ぶ方向に引き出された帯状の引出導体（第６の引出導体）１４Ｆとを有している。
【００４０】
引出導体１４Ｅの端部は、積層体２における長手方向の略中央位置から側面２ｄに露出し、端子導体４Ｂに接続されている。また、引出導体１４Ｆの端部は、中心線Ｍよりも端子導体４Ａ寄りの位置から積層体２の他端面２ｂに露出し、外部電極３Ｂに接続されている。内部電極７Ｄと同一面にも、ダミー電極１５が形成されている。内部電極７Ｄと同一面のダミー電極（第２のダミー電極）１５Ｂは、積層体２における他端面２ｂに接し、かつ主電極部１３Ｄ、引出導体１４Ｅ、及び引出導体１４Ｆから離間するように配置されている。
【００４１】
この複合層５Ｄでは、複合層５Ｃの場合と同様に、引出導体１４Ｆとダミー電極１５Ｂとの離間幅Ｗ１は、引出導体１４Ｆと外部電極３Ｂとの接続幅Ｗ２未満となっており、ダミー電極１５Ｂと外部電極３Ｂとの接続幅Ｗ３が十分に確保されている。また、ダミー電極１５Ｂと外部電極３Ｂとの接続幅Ｗ３は、引出導体１４Ｅと端子導体４Ｂとの接続幅Ｗ４以上となっており、かつ引出導体１４Ｆと外部電極３Ｂとの接続幅Ｗ２以上となっている。
【００４２】
さらに、ダミー電極１５Ｂと外部電極３Ｂとの接続幅Ｗ３は、積層体２の長手方向におけるダミー電極１５Ｂの幅Ｗ５以上となっている。積層体２の長手方向におけるダミー電極１５Ｂの幅Ｗ５は、内部電極７Ａにおける主電極部１３Ａと他端面２ｂとの離間幅Ｗ６（図４（ａ）参照）以下となっている一方で、引き出し導体１４Ｆとダミー電極１５Ｂとの離間幅Ｗ１以上となっている。なお、積層体２の長手方向におけるダミー電極１５Ｂの幅Ｗ５は、内部電極７Ｃにおける主電極部１３Ｃと他端面２ｂとの離間幅Ｗ７（図５（ａ）参照）以下となっていることが好ましい。
【００４３】
以上説明したように、積層コンデンサ１では、静電容量部１１において内部電極７が端子導体４にのみ接続され、ＥＳＲ制御部１２において内部電極７が端子導体４及び外部電極３にそれぞれ接続されている。したがって、内部電極７が並列に接続された端子導体４が外部電極３に直列に接続されるので、従来のように外部電極に内部電極を並列接続する場合と比較して高ＥＳＲ化を実現できる。
【００４４】
また、積層コンデンサ１では、ＥＳＲ制御部１２の内部電極７と同一面に、積層体２の長手方向の端面２ａ，２ｂに接するダミー電極１５を配置している。したがって、引出導体１４のみで内部電極７と外部電極３との接続を行う場合に比べて、外部電極３に接する電極部分の接触面積が大きくなる。これにより、外部電極３と引出導体１４との密着性を十分に確保できるので、導通不良の発生を抑制できる。ダミー電極１５による密着性の確保は、本実施形態のように、ＥＳＲ制御部１２を構成する複合層５Ｃ，５Ｄの層数が少ない場合に特に有効となる。
【００４５】
ここで、この積層コンデンサ１では、引出導体１４とダミー電極１５との離間幅Ｗ１が、引出導体１４と外部電極３との接続幅Ｗ２未満となっている。このため、ダミー電極１５と外部電極３との接続幅Ｗ３を十分に拡大でき、外部電極３と引出導体１４との密着性を極めて良好に保つことが可能となる。
【００４６】
また、積層コンデンサ１では、複合層５Ｃのダミー電極１５Ａが、一端面２ａに接して外部電極３Ａに接続され、複合層５Ｄのダミー電極１５Ｂが、他端面２ｂに接して外部電極３Ｂに接続されている。このように、同一面内に配置されたダミー電極１５と内部電極１３とを同一の外部電極３に接続することで、仮にダミー電極１５と内部電極１３とが接触した場合であっても、積層コンデンサ１のＥＳＲが僅かに低下するにとどまり、ショート不良の発生を防止できる。
【００４７】
また、積層コンデンサ１では、ダミー電極１５と外部電極３との接続幅Ｗ３が、引出導体１４と端子導体４との接続幅Ｗ４以上となっている。さらに、この接続幅Ｗ３は、積層体２の長手方向におけるダミー電極１５の幅Ｗ５以上となっており、引出導体１４と外部電極３との接続幅Ｗ２以上となっている。このような構成により、外部電極３と引出導体１４との密着性が一層十分なものとなり、導通不良の発生をより確実に抑制できる。
【００４８】
また、積層コンデンサ１では、積層体２の長手方向におけるダミー電極１５の幅Ｗ５が、静電容量部１１の内部電極７と端面２ａ，２ｂとの離間幅Ｗ６以下となっている一方で、引き出し導体１４とダミー電極１５との離間幅Ｗ１以上となっている。Ｗ５をＷ６以下とすることで、積層方向でダミー電極１５と内部電極７とが重なり合うことを防止できるので、ＥＳＲ制御部１２の内部電極７によって形成される静電容量成分と直列に接続される不要な静電容量成分が形成されてしまうことを防止できる。また、Ｗ５をＷ１以上とすることで、ダミー電極の電極部分が途切れることを防止でき、外部電極と引出導体との密着性をより確実に確保できる。
【００４９】
本発明は、上記実施形態に限られるものではない。例えば実装時に外部電極３に接続する極性は、上記実施形態と反転していてもよい。また、内部電極及びダミー電極のパターンは、例えば図６に示すように、種々の変形を適用できる。この変形例では、図６（ａ）に示すように、複合層５Ｃにおいて、引出導体１４Ｄを中心線Ｍに沿って形成すると共に、引出導体１４Ｄを挟んで対称となるように一対のダミー電極１５Ａ，１５Ａを配置している。また、図６（ｂ）に示すように、複合層５Ｄにおいて、引出導体１４Ｆを挟んで対称となるように一対のダミー電極１５Ｂ，１５Ｂを配置している。
【００５０】
このような変形例においても、Ｗ１〜Ｗ６の関係を上記実施形態と同様にすることで、外部電極３と引出導体１４との密着性を十分に確保でき、導通不良の発生を抑制できる。また、ＥＳＲ制御部１２において、引出導体１４を含めた異極性の内部電極７のパターンが対称的になるため、内部電極７を形成する際のパターニングが簡単なものとなる。さらに、積層体２の一端面２ａ及び他端面２ｂから見た場合の引出導体１４とダミー電極１５との配置バランスが向上し、積層体２の変形を抑えることができる。
【００５１】
さらに、上述した実施形態では、静電容量部１１の一方側に内部電極７Ｄを形成し、他方側に内部電極７Ｃを形成してＥＳＲ制御部１２を形成しているが、例えば図７に示すように、静電容量部１１の一方側と他方側の双方に内部電極７Ｃ，７Ｄの対を形成してもよい。この場合、積層体２の長手方向におけるダミー電極１５Ａの幅Ｗ５を、内部電極７Ｄにおける主電極部１３Ｄと一端面２ａとの離間幅Ｗ７（図５（ｂ）参照）以下とし、かつ積層体２の長手方向におけるダミー電極１５Ｂの幅Ｗ５を、内部電極７Ｃにおける主電極部１３Ｃと他端面２ｂとの離間幅Ｗ７（図５（ａ）参照）以下とすることで、不要な静電容量の形成を一層確実に抑制できる。
【００５２】
なお、外部電極３の密着性を高めるという観点から、図５（ａ）に示した内部電極７Ｃにおいて、主電極部１３Ｃから離間した状態で他端面２ｂに接するダミー電極を形成すると共に、図５（ｂ）に示した内部電極７Ｄにおいて、主電極部１３Ｄから離間した状態で一端面２ａに接するダミー電極を形成してもよい。
【符号の説明】
【００５３】
１…積層コンデンサ、２…積層体、２ａ…一端面、２ｂ…他端面、２ｃ，２ｄ…側面、３…外部電極、３Ａ…外部電極（第１の外部電極）、３Ｂ…外部電極（第２の外部電極）、４…端子導体、４Ａ…端子導体（第１の端子導体）、４Ｂ…端子導体（第２の端子導体）、６…誘電体層、７…内部電極、７Ａ…内部電極（第１の内部電極）、７Ｂ…内部電極（第２の内部電極）、７Ｃ…内部電極（第３の内部電極）、７Ｄ…（第４の内部電極）、１１…静電容量部、１２…ＥＳＲ制御部、１４…引出導体、１４Ａ…引出導体（第１の引出導体）、１４Ｂ…引出導体（第２の引出導体）、１４Ｃ…引出導体（第３の引出導体）、１４Ｄ…引出導体（第４の引出導体）、１４Ｅ…引出導体（第５の引出導体）、１４Ｆ…引出導体（第６の引出導体）、１５…ダミー電極、１５Ａ…ダミー電極（第１のダミー電極）、１５Ｂ…ダミー電極（第２のダミー電極）。
【図１】
2011108785.tif 000003
【図２】
2011108785.tif 000004
【図３】
2011108785.tif 000005
【図４】
2011108785.tif 000006
【図５】
2011108785.tif 000007
【図６】
2011108785.tif 000008
【図７】
2011108785.tif 000009